(57)【特許請求の範囲】
【請求項１】
上面から操作レバーを突出してなる移動体と、前記移動体をスライド移動自在に収納する本体ケースと、本体ケースの上部を覆うとともに前記操作レバーを挿通するレバー挿通孔を有するカバーと、前記移動体の移動によって電気的出力が変化する電気的機能部と、を具備するスライド式電子部品において、
前記移動体の前記操作レバーを突出する面上に載置される基部と、前記基部の周囲又は前記基部自体に設けられ前記移動体の前記操作レバーを突出する面と前記カバーの下面との間を弾発して移動体の移動に所定の抵抗を付与させる弾発片と、アーム状であってその一端が前記基部のスライド移動方向と平行な一方の側辺に接続されており基部に接続されている部分近傍を折り曲げることで長手方向が前記基部の一方の側辺に沿う方向を向き且つ移動体の一側面に沿う位置に配置されるクリック弾接部と、を有する板バネを具備し、
前記移動体にはスライド移動方向に直交する幅方向に向けて突出する摺接部を設けると共に、前記本体ケースの一対のスライド移動方向に沿う側壁の対向する内周面の上部には側壁の厚みをその下部側よりも薄くすることでスライド移動方向に向かって延びる段部からなる摺接部当接部を形成し、さらに前記一対の側壁の内の一方の側壁に設けた摺接部当接部の上部の厚みの薄い部分にクリック係合部を設け、
前記移動体の摺接部を前記本体ケースの摺接部当接部上に当接すると共に、
前記板バネのクリック弾接部を前記本体ケースのクリック係合部を設けた側の側壁の摺接部当接部上部の厚みの薄い部分に弾接し、このクリック弾接部を前記クリック係合部に係合させることで、移動体をスライド移動させた際の所定位置にてクリック感触を生じさせることを特徴とするスライド式電子部品。
【請求項２】
請求項１に記載のスライド式電子部品において、
前記クリック係合部は、前記側壁の上辺から前記摺接部当接部の面まで切り欠いて形成されていることを特徴とするスライド式電子部品。
【発明の詳細な説明】
【技術分野】
【０００１】
本発明は、スライド式可変抵抗器やスライド式スイッチ等のスライド式電子部品に関するものである。
【背景技術】
【０００２】
従来、スライド式電子部品は、例えば特許文献１に示すように、上面が開放されたケースの収納部内にスライド移動自在に移動体を収納し、ケースの上部をカバーで覆い、前記カバーから突出する移動体のレバーを操作することで移動体をスライド移動させてケース内に設置している電気的機能部の電気的出力を変化させるように構成している。
【０００３】
そして特許文献１に示すスライド式電子部品は、移動体の上面に、この上面とこの上面に対向するカバーの下面との間を弾発して移動体の移動に所定の抵抗を付与させる板バネが設置されている。
【０００４】
そして上記従来のスライド式電子部品においてさらに移動体の移動にクリック感触を与える機能を付加しようとする場合は、前記板バネによって移動体の上面が塞がれているので、移動体の側面に別途クリック用板バネを設置してこのクリック用板バネをケースの側壁内面に設けたクリック係合凹部に係合させたり、移動体の側面に設けた小孔にコイルスプリングによって弾発されるボールを収納してこのボールをケースの側壁内面に設けたクリック係合凹部に係合させたりする方法等が考えられる。
【０００５】
しかしながら上記何れの方法においても、部品点数が増加してしまって部品コストが増加するばかりかスライド式電子部品の小型化も阻害され、また小さな部品であるクリック用の板バネやボール及びコイルスプリングを小さな面積である移動体の側面に取り付ける組立作業も煩雑になる等の問題があった。
【特許文献１】特開２００７−９６０５９号公報
【発明の開示】
【発明が解決しようとする課題】
【０００６】
本発明は上述の点に鑑みてなされたものでありその目的は、部品点数が増加することなく、小型化が阻害されず、組立作業も容易なクリック機能付きのスライド式電子部品を提供することにある。
【課題を解決するための手段】
【０００７】
本願請求項１に記載の発明は、上面から操作レバーを突出してなる移動体と、前記移動体をスライド移動自在に収納する本体ケースと、本体ケースの上部を覆うとともに前記操作レバーを挿通するレバー挿通孔を有するカバーと、前記移動体の移動によって電気的出力が変化する電気的機能部と、を具備するスライド式電子部品において、前記移動体の前記操作レバーを突出する面上に載置される基部と、前記基部の周囲又は前記基部自体に設けられ前記移動体の前記操作レバーを突出する面と前記カバーの下面との間を弾発して移動体の移動に所定の抵抗を付与させる弾発片と、アーム状であってその一端が前記基部のスライド移動方向と平行な一方の側辺に接続されており基部に接続されている部分近傍を折り曲げることで長手方向が前記基部の一方の側辺に沿う方向を向き且つ移動体の一側面に沿う位置に配置されるクリック弾接部と、を有する板バネを具備し、前記移動体にはスライド移動方向に直交する幅方向に向けて突出する摺接部を設けると共に、前記本体ケースの一対のスライド移動方向に沿う側壁の対向する内周面の上部には側壁の厚みをその下部側よりも薄くすることでスライド移動方向に向かって延びる段部からなる摺接部当接部を形成し、さらに前記一対の側壁の内の一方の側壁に設けた摺接部当接部の上部の厚みの薄い部分にクリック係合部を設け、前記移動体の摺接部を前記本体ケースの摺接部当接部上に当接すると共に、前記板バネのクリック弾接部を前記本体ケースのクリック係合部を設けた側の側壁の摺接部当接部上部の厚みの薄い部分に弾接し、このクリック弾接部を前記クリック係合部に係合させることで、移動体をスライド移動させた際の所定位置にてクリック感触を生じさせることを特徴とするスライド式電子部品にある。
【０００８】
本願請求項２に記載の発明は、請求項１に記載のスライド式電子部品において、前記クリック係合部は、前記側壁の上辺から前記摺接部当接部の面まで切り欠いて形成されていることを特徴とするスライド式電子部品にある。
【発明の効果】
【００１１】
請求項１に記載の発明によれば、弾発片を有する板バネにクリック弾接部を設け、このクリック弾接部を本体ケースまたはカバーに設けたクリック係合部に係合させてクリック感触を生じさせるので、弾発片によって移動体の移動に所定の抵抗を付与すると同時に移動体のがたつきを防止する機能と、移動体を移動した際にクリック感覚を生じさせる機能とを一つの部品によって発揮させることができ、部品点数が増加することなく小型化が図れ、また１つの部品のみの装着なのでその組立作業も容易になる。
【００１２】
請求項１に記載の発明によれば、基部の周囲に弾発片とクリック弾接部とを設けることで板バネが構成されているので、基部の部分を移動体のレバーを突出する面上に載置するだけで容易に弾発片とクリック弾接部とを移動体の周囲（上面や側面など）の所定位置に配置することができる。
【００１３】
請求項１に記載の発明によれば、弾発片の配置位置とクリック弾接部の配置位置とをそれぞれ移動体の別の面にすることができるので、両者の配置が容易になり、たとえスライド式電子部品を小型化しても両者の機能を確実に発揮させることができる。
【発明を実施するための最良の形態】
【００１５】
以下、本発明の実施形態を図面を参照して詳細に説明する。
図１は本発明の１実施形態にかかるスライド式電子部品（以下この実施形態では「スライド式可変抵抗器」という）１の斜視図、図２はスライド式可変抵抗器１の横断面図（図１のＣ−Ｃ断面概略図）、図３はスライド式可変抵抗器１の分解斜視図である。これらの図に示すようにスライド式可変抵抗器１は、移動体１０と、移動体１０をスライド移動自在に収納する本体ケース５０と、本体ケース５０の収納部５５を覆うカバー１００とを具備して構成されている。以下各構成部品について説明する。なお以下の説明において、「上」とは本体ケース５０からカバー１００側を向く方向をいい、「下」とはその反対方向をいうものとする。
【００１６】
図４は移動体１０と板バネ７０と摺動板３７の分解斜視図である。同図及び図１〜図３に示すように、移動体１０は、略矩形状の本体部２０と、本体部２０の上面中央に取り付けられる操作レバー４０とを具備して構成され、本体部２０の上面２１には板バネ７０及び摺動板３７が載置される。本体部２０は合成樹脂（この実施形態ではＰＯＭ樹脂であるが、他の各種合成樹脂でも良い）の成形品であり、本体ケース５０の収納部５５内でのこの移動体１０の直線状のスライド移動方向Ａに向けて長尺な略矩形状に形成され、その上面２１の４隅にスライド移動方向Ａに直交する方向（幅方向Ｂ）の外方に向けて突出する略矩形状の摺接部２３を設けている。本体部２０の上面２１の中央にはスライド移動方向Ａに長尺な矩形状の取付部２７が設けられ、その上面には矩形状の取付穴２９が設けられ、下記するレバー４０の下端部を圧入（またはインサート成形）して固定している。本体部２０の左右両側面（操作レバー４０を突出する面に隣接するスライド移動方向Ａに平行な両側面）は凹状に切り欠かれており、その内の一方の凹部（下記する板バネ７０のクリック弾接部７５を設置する側の凹部）をクリック弾接部収納部３３としている。本体部２０の下面には図２に示すように、電気的機能部である２組の弾性金属板製の摺動子４５の平板状の基部４７を、本体部２０の下面から突出する小突起３１の先端を熱かしめすることによって固定している。各基部４７の下面側には基部４７から突出する２本ずつの摺動冊子４９が設置されている。
【００１７】
レバー４０は上下方向に長尺な薄板状の金属板によって構成されており、その下端部は取付部２７の取付穴２９に圧入またはインサート成形によって本体部２０に一体に固定されている。レバー４０を金属製としたのはその強度を強くするためである。
【００１８】
板バネ７０は金属製（例えばリン青銅製）の弾性板を本体部２０の操作レバー４０を突出する上面２１に載置される外形形状に形成して構成されており、基部７１の周囲（左右両側）にそれぞれ弾発片７３とクリック弾接部７５とを一体に（即ち１枚の弾性板に）取り付けて構成されている。基部７１は矩形状であってその中央に前記取付部２７を挿通する矩形状の開口部７２が設けられている。基部７１のスライド移動方向Ａと平行な両側辺の内の一方の側辺の中央部分には弾発片７３の根元部分７３ａが連結され、もう一方の側辺の端部近傍にはクリック弾接部７５の一方の端部（根元部分）７５ａが連結されている。弾発片７３はその根元部分７３ａから基部７１の側辺に沿うようにスライド移動方向Ａ両側に向けてアーム状に伸びている。アーム状の弾発片７３は何れも先端に向かうほど下方向（移動体１０方向）に向かって下降していくように湾曲している。一方クリック弾接部７５はアーム状であって、その根元部分７５ａが矩形状に形成され、根元部分７５ａに接続される細帯状のアーム部７８の先端近傍部分に弾接部７９を設けて構成されている。クリック弾接部７５は基部７１に接続されている部分近傍を下方向に向かって略直角に折り曲げることで、基部７１の面よりも若干下の位置でクリック弾接部７５の長手方向が基部７１の根元部分７５ａを取り付けた側辺にほぼ沿うように配置されている。さらにクリック弾接部７５は根元部分７５ａでアーム部７８が基部７１の側辺から離れる方向に斜めに傾斜するように折り曲げられている。弾接部７９は基部７１から離れる方向に凸となる「へ」字状の屈曲部によって構成されている。
【００１９】
摺動板３７は合成樹脂製（例えばＰＯＭ樹脂製）の薄板を本体部２０の上面２１に載置される外形形状に形成して構成されており、その中央には前記取付部２７を挿通する矩形状の開口部３９が設けられている。
【００２０】
本体ケース５０は上面が開放された長尺の矩形箱型であって、底部５１と底部５１から立設する一対のスライド移動方向Ａに沿う側壁５３，５３とを有することで両側壁５３，５３の間に前記移動体１０の本体部２０を収納する収納部５５を形成している。また本体ケース５０の底部５１の内底面にはフレキシブル回路基板８０がその上面を収納部５５内に露出するようにインサート成形されている。フレキシブル回路基板８０は可撓性を有する合成樹脂フイルム（例えばポリエチレンテレフタレートフイルムやポリフェニレンスルフイドフイルムなど）の上面にスライド移動方向Ａに向けて電気的機能部である所定の回路パターン（直線状の２本１組の４本の回路パターンであり、各組の一方の回路パターンを抵抗体パターンとしている）８１を設けて構成されている。また本体ケース５０のスライド移動方向Ａの両端部の下面からは前記各回路パターン８１の端部に接続された端子板９０が突出している。一方前記一対の側壁５３，５３の上辺５３ａ，５３ａにはこの上辺５３ａ，５３ａから上方向に向かって突出する係合部（以下「係合突起」という）５７が所定間隔毎に複数個設けられている。各係合突起５７は側壁５３の厚みよりも薄く、且つスライド移動方向Ａに延びる薄板矩形状に形成されている。また一対の側壁５３，５３の対向する内側面の上部には、上部側の側壁５３，５３の厚みをその下部側よりも薄くすることでスライド移動方向Ａに向かって延びる直線状の段部からなる摺接部当接部５９，５９を形成している。また側壁５３の外側面の下部には、その厚みをその上部よりも厚くしたスライド移動方向Ａに延びる帯状の側壁補強部６１が設けられ、その所定位置にはこれを上下に切り欠く複数の係止部ガイド溝６３が設けられている。また両側壁５３，５３の内の前記板バネ７０のクリック弾接部７５を弾接する側の側壁５３の上辺５３ａの略中央部分（中央の係合突起５７の側部）にはこの上辺５３ａを矩形状に切り欠いてなるクリック係合部６５が設けられている。クリック係合部６５は側壁５３上部の薄くなっている部分を摺接部当接部５９の面まで切り欠いて形成されている。
【００２１】
カバー１００は図３に示すように、金属板をその下面が開放された箱型に折り曲げることによって、前記本体ケース５０を覆う形状に形成されている。即ちカバー１００は、前記本体ケース５０の収納部５５を覆う寸法形状の略矩形状の上面部１０１の外周４辺からそれぞれ側面部１０３ａ，ｂ，ｃ，ｄを略直角下方向に折り曲げ、スライド移動方向Ａに沿う一対の側面部１０３ａ，１０３ｃの下端辺の前記本体ケース５０の各係止部ガイド溝６３に対向する位置からそれぞれ係止部１０５を突出し、一方前記上面部１０１の中央にスライド移動方向Ａに向かって伸びる矩形状のレバー挿通孔１０７を設けて構成されている。前記係止部１０５は、矩形状で前記係止部ガイド溝６３と略同一の幅を有する基部１０５ａの下端辺から細帯状の折曲部１０５ｂを突出して構成されている。またスライド移動方向Ａに沿う一対の側面部１０３ａ，１０３ｃの上面部１０１から屈曲されている折り曲げ部１０９には、前記本体ケース５０の各係合突起５７にぴったり係合される寸法形状（スリット形状）の被係合部（以下「被係合穴」という）１１１が設けられている。
【００２２】
そしてスライド式可変抵抗器１を組み立てるには、まず図４において、本体部２０の上面２１に板バネ７０と摺動板３７とを載置する。その際板バネ７０の開口部７２と摺動板３７の開口部３９にレバー４０を挿入する。このとき基部７１と両弾発片７３，７３は両弾発片７３，７３の先端を含めて何れも本体部２０の上面２１に載置され、その上に摺動板３７が重ね合せて設置される。一方クリック弾接部７５は、移動体１０のクリック弾接部収納部３３内に配置され、このクリック弾接部収納部３３を設けた移動体１０の側面に沿うように設置される。クリック弾接部７５の弾接部７９はクリック弾接部収納部３３から少し外部（外方）に突出している。なお前記摺動板３７には摺動性を向上するためその表面にグリスを塗布しておくことが好ましい。
【００２３】
次に図３において、前記移動体１０の本体部２０を本体ケース５０の収納部５５内に収納する。その際図２に示すように、移動体１０の４つの摺接部２３の下面を本体ケース５０の摺接部当接部５９上に当接し、同時に移動体１０の下面に取り付けている摺動子４５の各摺動冊子４９をそれぞれ各回路パターン８１に当接する。そして前記本体ケース５０上にカバー１００を被せる。その際カバー１００のスライド移動方向Ａに沿う両側面部１０３ａ，１０３ｃが本体ケース５０の側壁５３，５３の外側面を覆い、またカバー１００の各係止部１０５の基部１０５ａが本体ケース５０の各係止部ガイド溝６３にガイドされながら挿入され、また本体ケース５０の各係合突起５７がカバー１００の各被係合穴１１１に挿入・係合される。そしてカバー１００の各係止部１０５の折曲部１０５ｂを本体ケース５０の底部５１の下面側に折り曲げれば、本体ケース５０とカバー１００が一体に固定されてスライド式可変抵抗器１が完成する。なお上記組立手順はその一例であり、他の各種異なる組立手順を用いて組み立てても良いことはいうまでもない。
【００２４】
このとき板バネ７０の両弾発片７３，７３の下方向に向かっている湾曲が摺動板３７と本体部２０の上面２１との間に挟持されることでほぼ平面状になり、その反作用として摺動板３７がカバー１００の上面部１０１の下面に弾接され、同時に移動体１０の摺接部２３の下面が本体ケース５０の摺接部当接部５９上に弾接される。またこのとき同時に板バネ７０の弾接部７９は本体ケース５０の一方の側壁５３の内面の上辺５３ａに近い部分（摺接部当接部５９よりも上の部分）に弾接する。
【００２５】
そして移動体１０の操作レバー４０をスライド移動方向Ａに向けて移動すれば、摺動子４５の摺動冊子４９が回路パターン８１上を摺動することで、各端子板９０間の抵抗値が変化する。このとき前述のように板バネ７０によって摺動型物１０の摺接部２３の下面が本体ケース５０の摺接部当接部５９上に弾接されるので、移動体１０の移動に適度な操作力（抵抗）を付与することができると同時に、移動体１０をスライド移動させる際のがたつきを確実に防止することができる（当接（弾接）していないで隙間があるとがたつく恐れがある）。
【００２６】
また移動体１０を移動している際は前記板バネ７０の弾接部７９も本体ケース５０の一方の側壁５３の内面の上辺５３ａに近い部分を弾接しながら摺動するが、移動体１０が本体ケース５０の中央に位置した際は弾接部７９がクリック係合部６５に係合する。これによってクリック感覚が生じるとともに移動体１０を本体ケース５０の中央において容易且つ正確に係止させておくことができる。
【００２７】
以上説明したようにこのスライド式可変抵抗器１によれば、移動体１０の操作レバー４０を突出する面２１上に、この面２１とカバー１００の下面との間を弾発して移動体１０の移動に所定の抵抗（操作力）を付与させる弾発片７３を有する板バネ７０を取り付け、さらにこの板バネ７０にクリック弾接部７５を設け、このクリック弾接部７５（その弾接部７９）を本体ケース５０に設けたクリック係合部６５に係合させることで、移動体１０をスライド移動させた際の所定位置にてクリック感触を生じるように構成したので、弾発片７３によって移動体１０の移動に所定の抵抗を付与すると同時に移動体１０のがたつきを防止する機能と、移動体１０を移動した際にクリック感覚を生じさせる機能とを一つの部品によって発揮させることができ、部品点数が増加することなく小型化が図れ、また板バネ７０という１つの部品のみの装着なのでその組立作業も容易になる。
【００２８】
またこのスライド式可変抵抗器１によれば、板バネ７０が、移動体１０の操作レバー４０を突出する面２１上に載置される基部７１を具備し、この基部７１の周囲に弾発片７３とクリック弾接部７５とを取り付けたので、基部７１の部分を移動体１０の操作レバー４０を突出する面２１上に載置するだけで容易に弾発片７３とクリック弾接部７５とを移動体１０の周囲（上面や側面など）の所定位置に配置することができる。
【００２９】
またこのスライド式可変抵抗器１によれば、クリック弾接部７５はアーム状であってその一端が基部７１の周囲に接続されており、基部７１に接続されている部分近傍を折り曲げることで、移動体１０の操作レバー４０を突出する面２１に隣接するスライド移動方向Ａに平行な一側面に沿う位置に配置されるので、弾発片７３の配置位置とクリック弾接部７５の配置位置とをそれぞれ移動体１０の別の面にすることができ、従って両者の配置が容易になり、たとえスライド式可変抵抗器１を小型化しても両者の機能を確実に発揮させることができる。
【００３０】
またこのスライド式可変抵抗器１によれば、移動体１０のクリック弾接部７５を沿わせる一側面が凹状のクリック弾接部収納部３３となっており、このクリック弾接部収納部３３内にクリック弾接部７５を配置したので、スライド式可変抵抗器１の小型化が図れる。
【００３１】
なお上記スライド式可変抵抗器１ではスライド移動方向Ａとして直線方向を示したが、スライド移動方向は、円弧方向やその他の曲線方向など、直線方向以外の各種方向を含む概念である。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば板バネ７０の形状・構造・材質は種々の変更が可能であり、要は移動体の操作レバーを突出する面上に、この面とカバーの下面との間を弾発して移動体の移動に所定の抵抗を付与させる弾発片を有しさらにクリック弾接部を設けた板バネであればどのような形状・構造・材質の板バネであってもよい。即ち板バネ７０を構成する基部７１や弾発片７３やクリック弾接部７５の形状や、弾発片７３やクリック弾接部７５の基部７１への取付位置を種々変更しても良く、また弾発片７３やクリック弾接部７５の本数を複数本としてもよい。
【００３３】
図５に示す板バネ７０−２は他の板バネの１例を示す斜視図である。この板バネ７０−２において前記板バネ７０と相違する点は、前記板バネ７０の基部７１と弾発片７３とを一体にした弾発片７３−２を具備し、この弾発片７３−２の１側辺にクリック弾接部７５−２を一体に接続した点である。即ち板バネ７０−２は、金属製（例えばリン青銅製）の弾性板を本体部２０の上面２１に載置される外形形状に形成して構成されており、略矩形状で内部に取付部２７を挿通する矩形状の開口部７２−２を設け全体として中央部分が上に凸となる湾曲形状に形成してなる弾発片７３−２と、弾発片７３−２の一方の側辺の中央付近にその一方の端部（根元部分）７５−２ａが連結されるクリック弾接部７５−２とを具備している。弾発片７３−２は両端に向かうほど下方向に向かって下降していくように湾曲している。クリック弾接部７５−２は前記クリック弾接部７５と同様に、アーム状であってその根元部分７５−２ａが矩形状に形成され、根元部分７５−２ａに接続される細帯状のアーム部７８−２の先端近傍部分に弾接部７９−２を設けて構成されている。クリック弾接部７５−２は弾発片７３−２に接続されている部分近傍を下方向に向かって略直角に折り曲げることで、弾発片７３−２の面よりも若干下の位置でクリック弾接部７５−２の長手方向が弾発片７３−２の根元部分７５−２ａを取り付けた側辺にほぼ沿うように配置されている。さらにクリック弾接部７５−２は根元部分７５−２ａでアーム部７８−２が弾発片７３−２の側辺から離れる方向に斜めに傾斜するように折り曲げられている。弾接部７９−２は弾発片７３−２から離れる方向に凸となる「へ」字状の屈曲部によって構成されている。板バネ７０−２は、前記図１〜図４に示すスライド式可変抵抗器１で用いている板バネ７０に換えてスライド式可変抵抗器１に装着でき、使用できる。
【００３４】
図６は参考例にかかる板バネ７０−３を示す斜視図である。この板バネ７０−３において前記板バネ７０と相違する点は、前記板バネ７０のクリック弾接部７５を取り付けた部分に、クリック弾接部７５に換えて弾発片７３−３を設置している点である。即ちこの板バネ７０−３は開口部７２−２を有する基部７１−３の両側に根元部分７３−３ａから突出する一対ずつの弾発片７３−３，７３−３を設けている。なお一方の弾発片７３−３をクリック弾接部に換えてその弾接部によってカバー１００の下面に設けたクリック係合部に係合させるように構成すれば、本発明の板バネとなる。
【００３５】
また上記例では電気的機能部として摺動子４５を回路パターン８１に摺接させて抵抗値を変化させる構成を用いたが、回路パターン８１はスイッチパターンで構成しても良く（この場合スライド式スイッチとなる）、また摺動子４５と回路パターン８１の組み合せ以外の各種構造の電気的機能部で構成してもよい。要は移動体１０の移動によって電気的出力が変化する電気的機能部であればどのような構成であっても良い。また上記例ではクリック係合部６５を上辺５３ａを切り欠くことで形成しているが、クリック係合部は切り欠き以外にも貫通孔や凹部でもよく、さらに凸部を設けることでクリック弾接部７５の弾接部７９を係止させる構成としても良い。またクリック係合部６５の位置は移動体１０がスライド移動方向Ａの中央で係止される位置に設ける必要は無く、他の各部で係止する位置に設けても良い。また上記例ではクリック係合部６５を本体ケース５０に設けたが、その代りにカバー１００に設けても良い。またカバー１００は本体ケース５０と合わせてケースの一部を構成するものであり、場合によっては平板状であっても良いし、その他の形状であっても良い。また上記例では移動体１０とレバー４０とを別部品で構成したが、両者は合成樹脂の一体成形品で構成しても良い。
【図面の簡単な説明】
【００３６】
【図１】スライド式可変抵抗器１の斜視図である。
【図２】スライド式可変抵抗器１の横断面図（図１のＣ−Ｃ断面概略図）である。
【図３】スライド式可変抵抗器１の分解斜視図である。
【図４】移動体１０と板バネ７０と摺動板３７の分解斜視図である。
【図５】板バネ７０−２の斜視図である。
【図６】板バネ７０−３の斜視図である。
【符号の説明】
【００３７】
１  スライド式可変抵抗器（スライド式電子部品）
１０  移動体
２０  本体部
２１  上面（面）
３３  クリック弾接部収納部
３７  摺動板
４０  操作レバー
４５  摺動子（電気的機能部）
５０  本体ケース
５３  側壁
５５  収納部
６５  クリック係合部
７０  板バネ
７１  基部
７３  弾発片
７５  クリック弾接部
７９  弾接部
８０  フレキシブル回路基板
８１  回路パターン（電気的機能部）
１００  カバー
１０７  レバー挿通孔
７０−２  板バネ
【図１】
0005214300.tif 000002
【図２】
0005214300.tif 000003
【図３】
0005214300.tif 000004
【図４】
0005214300.tif 000005
【図５】
0005214300.tif 000006
【図６】
0005214300.tif 000007